(57)【要約】      （修正有）【課題】木造建築物の構造体である柱と基礎、柱と横架材及び柱と柱を緊結固定する引き寄せ金物の高耐力化と小型化、と搬送形体のコンパクト化を図る。【解決手段】引き寄せ金物の形状を角型逆台形状に成形し、先端中央部平板と両側壁境の先端中央部平板側ｑの両側に切り込みをいれ、内側上方に折上げめり込み防止板Ｂを形成し、更にその上端部を折り曲げためり込み防止板を引き寄せ金物に内在させる。めり込み防止板Ｂは反力が作用した場合、アンカーボルトｂが変形することによりアンカーボルトｂからの圧迫力を吸収し取り付けられた構造部材である柱１の粘りとめり込み等の変形を抑止及び引き寄せ金物Ａの高耐力化と簡便施工をする。めり込み防止板Ｂを形成するためその形状は必然的に角型になる、角型且つ小型化されることにより、背板付きの引き寄せ金物のような取り付けスペースが必要無く、簡便に取り付けられ、コンパクトな搬送形体が可能となる。【選択図】図１
2011144618.tif 000002
【特許請求の範囲】
【請求項１】
外側面下方を狭めた外側面逆台形形状を形成するめり込み防止機構を内在する引き寄せ金物であって、
引きよせ金物下端の木材へのめり込みを防止するためのめり込み防止機構を内在させること及びその形状によりめり込みを防止する目的から、先端を平板として下端を上端より狭め下方に傾斜させた角型の外側面逆台形形状であることを特徴とする引き寄せ金物。
【請求項２】
引き寄せ金物の先端中央部の下方に傾斜した先端中央部平板の下端から、両側壁と直角に折曲された先端中央部平板との境の先端中央部平板側上方に数センチの切り込みを入れ、両側が切り込まれた先端中央部平板を下方から、内側斜め上方に折上げ、めり込み防止板を形成しためり込み防止機構を内在することを特徴とする請求項１記載の引きよせ金物。
【請求項３】
折曲により形成しためり込み防止板のその先端部分を更に引き寄せ金物先端中央部平板の裏面に向かい小幅折曲し、めり込み防止機能を強化しためり込み防止機構を内在させたことを特徴とする請求項１記載の引き寄せ金物。
【発明の詳細な説明】
【技術分野】
【０００１】  本発明は、木造建築物の構造部材である横架材の土台や梁を介し、ボルト等により、基礎と柱、柱と柱を緊結固定する場合に用いる引き寄せ金物に関する。
【背景技術】
【０００２】  古来より、木造建築物の部材の接合には、接合する木材同士の木口を蟻、釜といった形状に加工し互いを引き寄せ合い楔や鎹等にて緊結してきたが、これ等の接合は横架材等水平方向に関しての接合に用いられてきたものである。【０００３】  垂直方向である柱と横架材の接合には、柱の上下端にホゾを加工により突出させ、反対に接合する梁や土台等横架材にはホゾ孔を穿ち、それらのホゾ孔に柱等のホゾを差し込み側面から釘打ちや鎹により固定してきた。【０００４】  それを補強する目的から、近年では、帯金物、羽子板ボルト等の補助金物によりこれらの部分の接合耐力を補っており、接合金物無くして木造建築物を建築することが不可能な状況が生まれている。【０００５】  特に引き寄せ金物は、土台を介し、直接基礎と柱を基礎から延伸したアンカーボルトのナット締めにより緊結固定している。
柱と柱の緊結固定に於いても、緊結固定する柱の上下端に引き寄せ金物を取り付け、横架材を介しボルトにより緊結固定している。【０００６】  これらの接合部位は構造的に非常に重要な部分であり、高耐力化を求める余りに引き寄せ金物や接合補助金物を構成している鋼板を厚くするなどの大型化等が余技無くされ、大重量となり施工のし難さや施工者の負担が増すと同時に高額となっている。【０００７】  引き抜き力が引き寄せ金物を取り付けた構造部材に作用した場合、発生する引き抜き力は、引き寄せ金物の上端では外側前方に向かい、下端では反対に後方木材側に向かう隅力となり、引き抜き力が増大すると引き寄せ金物下端では、引き寄せ金物を取り付けた構造部材である木材へめり込み、上端ではアンカーボルトを前方に押し曲げる変形が発生する。
小型化された引き寄せ金物では小型化した引き寄せ金物の中でこれ等の現象が顕著になり引き寄せ金物と構造部材の耐力の低下をひき起こす。
【発明の開示】
【発明が解決しようとする課題】
【０００８】  従来技術では、木材へのめり込みを防止し、建築物の高耐力化を図る目的から引き寄せ金物の取り付け個数の増加に加え、引き寄せ金物は大型化され大重量となり、柱等構造部材への固定に用いるビス径も大径になりその数も多く、施工面からすると不合理な部分が数多く存在する。【０００９】  本発明は斯様な点を鑑みなされたもので、その目的とするところは、めり込み防止板をめり込み防止機構として引き寄せ金物の先端中央部下方に内在させたことによる引き寄せ金物の小型軽量化と高耐力化であり、単純形状によるローコスト化と簡便施工である。
【課題を解決するための手段】
【００１０】  上述の目的を達成する本発明のめり込み防止機構内在引き寄せ金物は、両側壁下方の幅を狭めた正面角型且つ側面逆台形形状を形成し、その上端先端には滑動を阻止するためのストッパーを具備しており、更には両側壁に挟まれた先端中央部平板と両側壁との境の先端中央部平板側の両側に長さ数センチ程の切り込みいれ、内側上方向に折上げ、めり込み防止板としている。【００１１】  一例を挙げれば、水平力による引き抜き力が該引きよせ金物を取り付けた構造部材に作用した場合、引き寄せ金物と構造部材に対し反力が生じ押さえ込む方向に作用する。
この反力は該引き寄せ金物上端では前方に向かいアンカーボルトの変形を誘発するが該引き寄せ金物の先端上端に設けられたストッパーにナットによりアンカーボルトを留めているワッシャーが接触すると、それ以上の滑動が抑止される。【００１２】  一方該引き寄せ金物下端では木材へのめり込みは生じるものの、内在するめり込み防止板と該引き寄せ金物の下方の狭隘な形状のため、その先端中央部平板に設けためり込み防止板が加力初期よりアンカーボルトに接し、初期変形が抑止される。
更に、引き抜き力による反力が継続的に作用した場合、めり込み防止板が先端中央部平板裏面と密着するが、この部分は二重に鋼板が位置する事になり、構造部材へのめり込みが抑止され、より高耐力化が図られことになる。【００１３】  更には、該引き寄せ金物に作用する引き抜き力が増大するとその反力はアンカーボルトまで「く」の字型に変形させるが、当初より引き寄せ金物に内在するめり込み防止板をアンカーボルトに接触させておくことにより急激な初期変形を低減させ、初期耐力の向上を図り該引き寄せ金物下部を木材にめり込ませようと作用する反力から生じる隅力に長時間抵抗することで対変形性能を向上させ、木材の破壊を減少させる。
【発明の効果】
【００１４】  以上説明したように本発明によれば、該引き寄せ金物上端ストッパーと下方中央部に内在するめり込み防止板により、アンカーボルトを拘束し、その変形の抑止により、該引き寄せ金物と構造部材の終局強度を向上させることが可能になる。【００１５】  これにより、他の引き寄せ金物の様に長大且つ大重量の背板を備える必要が無く、その分引き寄せ金物の軽量小型化とローコスト化が実現できることになる。
従って引き寄せ金物の小型化が実現できると、その分重量も軽減され、持ち運び易く取り付けに際しても片手で位置決め等の調整を簡便に行う事が可能となり、施工コストの軽減と同時に引き寄せ金物自体のコストも低減されることになり、最終的には引き寄せ金物を含め施工費等トータルコストの低減に繋がる。【００１６】  更に、本発明による該引き寄せ金物の角型形状は、梱包形態もコンパクトに収めることが可能であり、梱包、搬送経費をも低減することができると同時に、単純形状故に溶接を省き、鋼板の有効利用及び梱包資材の軽減等によるエコノミー且つエコロジーを標榜するものである。
【発明を実施するための最良の形態】
【００１７】  以下本発明の実施の形態を図面に基づき詳細に説明する。
【実施例１】
【００１８】  図１〜図２は本発明の第１の実施の形態に係り、図１は本発明のめり込み防止機構内在引き寄せ金物Ａの土台２を介し、柱１に取り付け、基礎から延伸したアンカーボルトｂと緊結固定ナットｆ、ワッシャーｅにて緊結固定した状態の部分縦断面斜視図であり、図２はその外観斜視図であり、図３はその縦断面図である。【００１９】  柱１脚部側面には、基礎３から延伸されたアンカーボルトｂが土台２を介し柱１に取り付けられた該引き寄せ金物Ａの両側壁上端縁ｕにワッシャーｅを介しナットｆにて基礎３と緊結固定されている。【００２０】  地震力や風圧力等の水平力が建築物に作用すると、建築物を構成している構造部材には引き抜き力という形で作用し、各構造部材を伝わり基礎３を介しその水平力は地盤に伝達される。【００２１】  即ち、該引き寄せ金物Ａを取り付けた構造部材である柱１にも上記同様の力が作用し、該引き寄せ金物Ａがアンカーボルトｂにより緊結固定されているため、反力が同時に生じ、柱１を抑え込もうとする方向と引き抜こうとする方向との両者の力がこの部分に生じている。
引き抜き力が勝っていれば、該引き寄せ金物Ａが破壊され、反対に反力に該引き寄せ金物Ａ及び柱１が勝れば安定した状態が保たれる。【００２２】  この引き抜き力は大きくなるにつれ、アンカーボルトｂにより該引き寄せ金物Ａは緊結固定されているため、その上端縁ｕ部分では該引き寄せ金物Ａの先端部ｋを押し下げようとする方向に作用する。
反対にこの力は下端縁ｏ部分では、該引き寄せ金物Ａが取り付けられた構造部材である柱１方向に向かい、一対の方向の異なる隅力となり、該引き寄せ金物Ａの下端の取り付け部ｒを構造部材である柱１の内側に向かわせめり込ませることになる。【００２３】  然しながら、該引き寄せ金物Ａに内在するめり込み防止板Ｂと上端縁先端部ｋに設けられたストッパーｍによりアンカーボルトｂは該引き寄せ金物Ａの上端で拘束され、その内部では、めり込み防止板Ｂがアンカーボルトｂに接触し、変形しつつ作用する力を吸収しながら抵抗し、更なる変形が抑止されることになる。【００２４】  よって該引き寄せ金物Ａの変形は小さく該引き寄せ金物下端取り付け部ｒの柱１へのめり込みも減少し、取り付けビスｄは、主にせん断力を負担することとなり、結果として該引き寄せ金物Ａの終局強度を増大させることが可能となる。
【実施例２】
【００２５】  図４は第２の実施の形態に係り本発明のめり込み防止機構内在引き寄せ金物Ａ’を土台２’を介し、柱１’に取り付け、基礎３’から延伸したアンカーボルトｂ’と緊結固定ナットｆ’、ワッシャーｅ’にて緊結固定した状態の部分縦断面斜視図であり、図５は本発明のめり込み防止機構内在引き寄せ金物Ａ’の外観斜視図で、図６はその縦断面図である。【００２６】    図４は、内側への折曲により形成されためり込み防止板の上端ｗを更に先端中央部平板ｔの裏面ｔ’に向かい折曲しためり込み防止板Ｃとアンカーボルトｂ’との位置関係を示すもので、該引き寄せ金物Ａ’の柱１’に取り付けた状態を示す部分縦断面斜視図である。【００２７】  図４に示すように、外形的には実施例１の引き寄せ金物Ａと殆ど相違を有しないが、異なる点は、上方に折曲し形成しためり込み防止板Ｃのその上端部分ｗにストッパーｐを有し、それを形成する目的から、先端中央部平板ｔの両側の切り込みを形成するストッパーｐ分深くし、先端中央部平板ｔの下部開口ｈ’を大きくしたことにある。【００２８】  これにより、めり込み防止板Ｃの上端を先端中央部平板の裏面ｔ’に向かい斜め上方に折曲し該引き寄せ金物Ａ’のめり込み防止板Ｃ上端にストッパーｐを形成する点である。【００２８】  このめり込み防止板Ｃの上端部分に形成されたストッパーｐは、引き抜き力が加わった場合、拘束されたアンカーボルトｂ’がめり込み防止板Ｃ全体に接するが、その先端を折曲により形成されたストッパーｐが該引き寄せ金物Ａ’の先端平板ｔの裏面ｔ’に接触する。【００３０】  めり込み防止板Ｃにアンカーボルトｂ’が接触すると、該引き寄せ金物Ａ’の先端中央部平板ｔの裏面ｔ’にめり込み防止板Ｃのストッパーｐが接し、折曲され形成されているストッパーｐがアンカーボルトｂ’の圧迫により上方に開くように変形しながら作用する力を吸収し、それ以上の変形と該引き寄せ金物Ａ’の取り付け部ｒ’の柱１’へのめり込みが確実に抑止される。【００２７】  柱１’へのめり込みが減少されると、第一実施例と同様に、取り付けビスｄ’にはせん断力が大きく関わるが、該引き寄せ金物Ａ’の強度を増すためには、取り付けに用いるビスｄ’のせん断耐力の大きいビスを選択することにより終局強度を増大させることが可能となる。【００２８】  以上実施例について説明した。実施例１、２の各々の引き寄せ金物は両外側壁底辺の幅を狭くしてあり、アンカーボルトｂ、ｂ’と接してもそれ自体で引き寄せ金物の変形を最小に収め、木材へのめり込みを防止することは可能であるが、引き寄せ金物に内在するめり込み防止板の役割は、圧迫により変形することで先端中央部平板ｑ及びｔを二重に重ねることになり、アンカーボルトの接触時の初期耐力の向上及び変形しきった場合の先端中央部平板ｑ、ｔの補強を兼ね、めり込み防止板Ｂ、Ｃを内在させている。
【産業上の利用の可能性】
【００３６】  本発明は木造建築物を建築する場合に、その基礎と柱を緊結固定する際の緊結固定金物として有効に使用することができ、建築物を施工する産業分野で利用することができる。
【図面の簡単な説明】
【００３７】
【図１】  使用状況を示す縦断面図（実施例１）
【図２】  取り付け状態を示す部分断面斜視図（実施例１）
【図３】  めり込み防止機構内在引き寄せ金物外観斜視図（実施例１）
【図４】  使用状況を示す縦断面図（実施例２）
【図５】  取り付け状態を示す部分断面斜視図（実施例２）
【図６】  めり込み防止機構内在引き寄せ金物外観斜視図（実施例２）
【符号の説明】
【００３８】１                  構造部材である柱（実施例１）
２                  構造部材である土台（実施例１）
３                  基礎（実施例１）
Ａ                  めり込み防止機構内在引き寄せ金物（実施例１）
Ｂ                  めり込み防止板（実施例１）
ｂ                  アンカーボルト（実施例１）
ｄ                  取り付けビス（実施例１）
ｅ                  ワッシャー（実施例
ｆ                  ナット（実施例１）
ｈ                  引き寄せ金物下部開口（実施例１）
ｋ                  引き寄せ金物上端先端部（実施例１）
ｍ                  引き寄せ金物の上端先端部ストッパー（実施例１）
ｏ                  引き寄せ金物下端縁（実施例１）
ｑ                  引き寄せ金物先端部平板（実施例１）
ｑ’                引き寄せ金物先端部平板裏面（実施例１）
ｒ                  引き寄せ金物下端取り付け部（実施例１）
ｕ                  引き寄せ金物上端縁（実施例１）
１’                構造部材である柱（実施例２）
２’                構造部材である土台（実施例２）
３’                基礎（実施例２）
Ａ’                めり込み防止機構内在引き寄せ金物（実施例２）
Ｃ                  めり込み防止板（実施例２）
ｂ’                アンカーボルト（実施例２）
ｄ’                取り付けビス（実施例２）
ｅ’                ワッシャー（実施例２）
ｆ’                ナット（実施例２）
ｈ’                引き寄せ金物下部開口（実施例２）
ｋ’                引き寄せ金物上端先端部（実施例２）
ｍ’                引き寄せ金物の上端先端部ストッパー（実施例２）
ｏ’                引き寄せ金物下端縁（実施例２）
ｐ                  ストッパー（実施例２）
ｒ’                引き寄せ金物下端取り付け部（実施例２）
ｔ                  引き寄せ金物先端中央部平板（実施例２）
ｔ’                引き寄せ金物先端中央部平板裏面（実施例２）
ｕ’                引き寄せ金物上端縁（実施例２）
ｗ                  めり込み防止板の上端（実施例２）
【図１】
2011144618.tif 000003
【図２】
2011144618.tif 000004
【図３】
2011144618.tif 000005
【図４】
2011144618.tif 000006
【図５】
2011144618.tif 000007
【図６】
2011144618.tif 000008